(57)【要約】【課題】  本発明の課題は、地球環境への負荷の軽減しつつ家畜糞を処理する方法を提供することである。【解決手段】  家畜糞を堆肥化過程を経ないで燃焼し過剰に持ち込まれた窒素を系外に放出し、その過程で発生するエネルギーを発電に活用し、さらに生成した家畜糞燃焼灰と鉱酸を反応させた肥料組成物を得、この肥料組成物を耕地に施肥し、収穫された作物を家畜の飼料に供することを特徴とする家畜糞の処理方法。【選択図】  なし【特許請求の範囲】
【請求項１】
家畜糞を堆肥化過程を経ないで燃焼し過剰に持ち込まれた窒素を系外に放出し、その過程で発生するエネルギーを発電に活用し、さらに生成した家畜糞燃焼灰と鉱酸を反応させた肥料組成物を得、この肥料組成物を耕地に施肥し、収穫された作物を家畜の飼料に供することを特徴とする家畜糞の処理方法。
【請求項２】
肥料組成物が家畜糞燃焼灰100重量部に、10〜150重量部の鉱酸を反応させて得られる請求項1記載の家畜糞の処理方法。
【請求項３】
肥料組成物が家畜糞燃焼灰100重量部に、40〜100重量部の鉱酸を反応させて得られる請求項１記載の家畜糞の処理方法。
【請求項４】
鉱酸が、硫酸、リン酸及び硝酸から選ばれる１種または２種以上である請求項１乃至３のいずれかの項記載の家畜糞の処理方法。
【発明の詳細な説明】
【技術分野】
【０００１】
本発明は、家畜糞排出物の処理に当たって、地球環境を過剰な窒素汚染から開放し、持続可能な農業生産が維持されるシステマティックな環境保全を実現する家畜糞の処理方法に関する。
【背景技術】
【０００２】
昨今、農業生産環境の恒常性と健全性さらには省力化が取りざたされる中、施用される肥料自体も無機質肥料主体型から有機主導型へと移行しつつある。しかし、有機質肥料も万能とは言えず、作物に対する肥料成分の可給度すなわち吸収率が６０％以下であると言われ、残りの４０％は耕地に蓄積していくことになる。一方で畜産業から排出される家畜糞由来の窒素量は、農業の生産現場で作物生産に要する施肥窒素量をはるかに凌駕している。このことは資源の有効活用に逆行するだけでなく、農業の生産環境の窒素収支を著しく乱して窒素過多になり、窒素汚染による人類の生活環境に対する負荷は激しく、不可避な問題として耳目を集めている。
【０００３】
ところがこのように有機質資材・家畜糞廃棄物の肥効率を改善するためには、発酵法によるいわゆる「堆肥化」や「ぼかし化法」あるいは酵素処理法などが提案されている。前者は処理が完遂するまでに長時間を要すと同時に広い処理空間と管理にマンパワーを要し、処理期間中にガス・臭気・衛生害虫の発生等周辺環境に及ぼす悪影響も大きく、運搬経路から重篤な感染性病害が蔓延する危険性が指摘されている。従って家畜糞廃棄物を家畜糞燃焼灰にする事で、エネルギーの利用と過剰な窒素成分を無害な窒素ガスとして系外に排出し、感染性病原菌を撲滅する。また家畜糞排出・需給バランスがインプット過剰に有り、環境破壊無しには処理できていない。後者は酵素材の価格が高く、肥料原料の処理に使えるコストバランスではないので、工業規模での実施化の例はほとんど無い。
【０００４】
一方で畜産廃棄物として多量に発生する家畜糞の一部は焼却処分されているが、そこで発生した家畜糞燃焼灰は、リン・カリウム・カルシウム・マグネシウム・ナトリウム等の成分を含有し強いアルカリ性を呈するため、そのままでは結局産業廃棄物に姿を変え甚大な処理コストの負担を要している。そこで、本発明者らは、先にこれら畜糞燃焼灰をリン酸で処理することにより肥料として提供する発明の出願（特許文献１）（特願２００３−３６０８５９号）を行った。
【特許文献１】特願２００３−３６０８５９号
【発明の開示】
【発明が解決しようとする課題】
【０００５】
本発明の課題は、地球環境への負荷の軽減しつつ家畜糞を処理する方法を提供することである。
【課題を解決するための手段】
【０００６】
本発明は、家畜糞廃棄物を家畜糞燃焼灰にすることで、エネルギーの利用と過剰な窒素成分を無害な窒素ガスとして系外に排出し、加えて感染性病原菌を撲滅し環境衛生上の重要な問題を解決する。牛糞燃焼灰や豚糞燃焼灰・鶏糞焼成灰等に例示されるアルカリ性の資材とリン酸・硫酸・硝酸等に例示される酸性の資材が反応する際の中和熱も反応物の乾燥に有効活用され、さらには家畜糞燃焼灰に含まれる肥料成分を可給化できる肥料とすることができる。引き続いて必要量の肥料成分を適当な時期に作物に施肥することで、地球環境の持続安定性を維持確保し得るものである。
【０００７】
即ち、本発明は家畜糞を堆肥化過程を経ないで燃焼し過剰に持ち込まれた窒素を系外に放出し、その過程で発生するエネルギーを発電に活用し、さらに発生した家畜糞燃焼灰と鉱酸を反応させた肥料組成物を得、この肥料組成物を耕地に施肥し、収穫された作物を飼料に供し収穫された作物を家畜の飼料に供することを特徴とする家畜糞の処理方法である。
【０００８】
上記家畜糞燃焼灰と鉱酸を反応させた肥料組成物は、家畜糞燃焼灰100重量部に、10〜150重量部の鉱酸を反応させて得られるもの、さらには、家畜糞燃焼灰100重量部に、40〜100重量部の鉱酸を反応させて得られるものである。そして、鉱酸としては硫酸、リン酸及び硝酸から選ばれる１種または２種以上が用いられる。
【発明の効果】
【０００９】
本発明により得られた家畜糞燃焼灰の鉱酸処理物からなる肥料は、pHが中性領域（pH４〜8）にあるため取り扱い上安全であり、顕著な肥効が発揮され作物の良好な生育を確保できる。また原料の家畜糞燃焼灰の利用は産業廃棄物の有効活用と物質循環の健全化に大きく貢献でき、地球環境の保全に資する。
【００１０】
さらに、本発明により家畜糞燃焼灰の鉱酸処理物からなる肥料を得ることは、飼料としてその地域に持ち込まれた過剰の窒素成分を、環境汚染に結び付けることなく無害なものとして大気中に還元できる。
【００１１】
これらのことから、本発明の家畜糞の処理法は、環境に対する環境負荷を著しく軽減しなおかつ環境型社会を維持・実現することができる。
【発明を実施するための最良の形態】
【００１２】
本発明に使用される第一番目の構成原料である家畜糞燃焼灰は、肥育牛や乳用牛が排出した畜糞・  肥育豚・肥育山羊・肥育羊に例示される哺乳類家畜糞燃焼灰や家禽糞の燃焼灰のうちいずれか単独または複数で原料に供される。
【００１３】
家畜糞燃焼灰の原料となる家畜糞は、舎飼の家畜から集められたものが主であり飼養現場でオガクズやモミガラ・ワラといった敷料が使用されているので含水率は７０％以下が殆どである。水の潜熱と畜糞の燃焼排出熱がバランスする時の含水率は８０〜８５％とされているので、大部分の家畜糞燃焼灰のエネルギー収支は過剰なエネルギーが放出される状態にあることが解る。
【００１４】
家畜糞は、堆肥化過程を経ないで短期間で燃焼するものであり、その燃焼のための燃焼装置としては、連続運転ストーカ方式を初め回転胴方式（ロータリーキルン）・流動床方式・多段円筒方式・回転炉床円筒方式・円形撹拌方式等が挙げられる。実施例には回転胴方式の装置を用いて得られる家畜糞燃焼灰を供した。
【００１５】
乾燥家畜糞の発熱量は、熱量計で測定した結果豚糞では１８ＭＪ/Ｋｇ、ブロイラー鶏糞１６ＭＪ/Ｋｇ、肥育牛糞１６ＭＪ/Ｋｇ、採卵鶏糞１０ＭＪ/Ｋｇであった。一方未乾燥牛糞の場合は約１/３の６ＭＪ/Ｋｇであった。含水率が高い家畜糞を燃焼する際には炉の高い自燃性を維持するため、含水率の少ない畜糞を混合燃焼するのが好ましく、助燃剤の使用量が格段に節減できた。
【００１６】
ここで畜糞燃焼排出熱量から発電量を試算すると、１０万トンの鶏糞から１万Ｋｗ/ｈ発電できると試算された。
【００１７】
本発明に使用される第二番目の構成原料はリン酸液・硫酸液・硝酸液・塩酸液に例示される鉱酸である。これらはその供給源は問わないが各種産業の製造工程において排出される廃鉱酸を使用することもできる。中和反応による熱エネルギーを有効利用して後の乾燥工程の簡略化するために、２０％〜飽和濃度にすることが好ましい。また、使用する鉱酸としては、リン酸の他、硝酸、硫酸、塩酸等、酸性を示し植物に害作用がなければいずれでもよく、適宜選択してこれを使用することができる。本発明に使用される原料は、上記の例に限定されるものではない。
【００１８】
以上の原料を用い家畜糞を堆肥化過程を経ないで短期間で燃焼し過剰に持ち込まれた窒素を系外に放出しつつ、その過程で副次的に発生するエネルギーを発電に活用し、さらに発生した家畜糞燃焼灰と鉱酸を反応させた肥料組成物を得る。この肥料組成物を耕地に施肥し、収穫された作物を飼料に供し、環境に対する窒素負荷を著しく軽減しなおかつ循環型社会を維持・実現できる家畜糞の処理方法を確立した。
【００１９】
上記肥料組成物は、家畜糞燃焼灰100重量部に、10〜150重量部の鉱酸を反応させて、さらには、家畜糞燃焼灰100重量部に、40〜100重量部の鉱酸を反応させて得られるものである。
【００２０】
このようにして得られた肥料組成物を耕地に施肥し、その圃場で収穫された作物は飼料として家畜に与えられ循環することになる。結果環境に対する窒素負荷を大きく軽減することができる。
【実施例】
【００２１】
以下、本発明を実施例により具体的に説明するが、本発明はこれら実施例によってその技術的範囲が限定されるものではない。
【００２２】
（実施例１）
鶏糞１００kgを回転胴方式装置により６時間燃焼し、鶏糞燃焼灰（ｐＨ12.03、リン酸全量27.6％（王水で分解し定量分析）、ク溶性リン酸25.4％、可溶性リン酸13.6%、水溶性リン酸ND）１２kgを得た。この燃焼により発生した熱エネルギーは発電用熱水のエネルギー源として利用した。
【００２３】
（実施例２）
それぞれ鶏糞燃焼灰（ｐＨ 12.03、リン酸全量27.6％（王水で分解し定量分析）、ク溶性リン酸25.4％、可溶性リン酸13.6%、水溶性リン酸ND）100ｇを用意し、表１に示す量の希硫酸（硫酸濃度70％）を添加し、充分浸透するまで10分間混合を行った。
【００２４】
【表１】
2006297187.tif 000002
【００２５】
熟成１日後、熟成３日後、熟成５日後、熟成７日後のｐHを測定し、結果を表２に示した。
【００２６】
【表２】
2006297187.tif 000003
【００２７】
得られた熟成５日後の鶏糞燃焼灰−硫酸処理物を熱風乾燥後、これに含まれるク溶性リン酸、可溶性リン酸、水溶性リン酸の量を測定した。結果を表３に示した。
【００２８】
【表３】
2006297187.tif 000004
【００２９】
表３の結果から鶏糞燃焼灰を鉱酸で処理することにより、不溶性リン酸の一部がク溶性リン酸に化学変化し、可溶性リン酸の一部が最も可給性の高い水溶性リン酸に変化していた。
【００３０】
（実施例３）
家畜糞燃焼灰（ｐＨ 12.3、リン酸全量7.6％、カリ全量６％）100kgに希硫酸（硫酸濃度70％）43kg（家畜糞燃焼灰100gに対し硫酸0.31モル相当）を添加し、10分間混合を行い家畜糞燃焼灰に硫酸を浸透させた。その後、熟成を３日行った。得られた家畜糞燃焼灰の硫酸処理物のｐHは６.5で、収量は129kgであった。
【００３１】
（実施例４）
圃場に実施例2で得られた家畜糞燃焼灰の硫酸処理物をP2O5として20kg／10a施用し、不足する肥料成分のNとして硫安を25kg／10a、Ｋ２Ｏとして硫酸カリを25kg／10aに成るように施用し、１区5.2m2とした（硫酸処理区）。希硫酸の代わりに硫酸と同じ当量のリン酸を用いる以外は、実施例２と同様の方法により、家畜糞燃焼灰のリン酸処理物を製造し、家畜糞燃焼灰の硫酸処理物の代わりにこのリン酸処理物を施用する以外は、上記と同様にして施用した（リン酸処理区）。また希硫酸の代わりに硫酸と同じ当量の硝酸を用いる以外は、実施例２と同様の方法により、家畜糞燃焼灰の硝酸処理物を製造し、家畜糞燃焼灰の硫酸処理物の代わりにこの硝酸処理物を施用する以外は、上記と同様にして施用した（硝酸処理区）。家畜糞燃焼灰の硫酸処理物の代わりに未処理の家畜糞燃焼灰を施用する以外は、上記と同様にして施用し区画した（無処理区）。各区10株ずつ、ブロッコリー（品種：ハイツ）を定植し、50日後収穫を行い、花蕾の重量を測定した。結果を表4に示した。
【００３２】
【表４】
2006297187.tif 000005
【００３３】
いずれの処理区も生育が旺盛で、無処理区より花蕾重量は大きくなる結果となった。また、無処理区の作物は、リン酸欠乏の傾向が窺われた。
【産業上の利用可能性】
【００３４】
本発明の家畜糞の鉱酸処理法は、家畜糞燃焼灰中の難溶性リン酸を可給化し、同時に作物生育に必要なカリウム等の無機養分を可給化できる。さらに家畜糞が十分な腐熟・減容化処理なく耕地に投入された結果生ずる生活環境の窒素汚染・温暖化ガスの発生と言った環境破壊要因の問題解決を図りつつ、肥料として有効利用でき甚大なコスト削減と効率化を計るものである。